(57)【特許請求の範囲】
【請求項１】
一次元配列された撮像素子を有することにより原稿の画像を一次元の方向に読み取ることができる画像読取部と、
前記原稿の方向からの光を前記画像読取部に対して集光するレンズと、
前記画像読取部での画像の読み取り領域に光を照射する光源と、
前記撮像素子の配列方向に平行な回転軸を中心として前記原稿に対して相対的に回転可能に前記画像読取部と前記レンズと前記光源とを保持する回転ヘッドと、
を備え、
前記光源は前記回転ヘッドに複数設けられており、複数の前記光源は、前記回転軸の方向における前記レンズの両脇に配設されており、
前記画像読取部と前記光源とは、前記画像読取部での画像の読み取り時における読み取り範囲を示す走査平面と、前記光源での照射範囲を示す照射平面とが重なるように配設されていることを特徴とする画像読取ユニット。
【請求項２】
前記回転軸は、前記走査平面と同一の平面内に位置することを特徴とする請求項１に記載の画像読取ユニット。
【請求項３】
前記画像読取部は、前記回転軸を中心として回転することにより前記原稿の画像を読み取ることを特徴とする請求項１または２に記載の画像読取ユニット。
【請求項４】
請求項１〜３のいずれか１項に記載の画像読取ユニットと、
前記原稿を載置する載置面に固定され、且つ、前記画像読取ユニットを支持するアームと、
を備えることを特徴とするオーバーヘッド型画像読取装置。
【請求項５】
前記アームは、前記載置面に載置可能なベース部に接続されており、前記ベース部を前記載置面に載置することにより、前記アームは前記載置面に固定されることを特徴とする請求項４に記載のオーバーヘッド型画像読取装置。
【請求項６】
さらに、前記画像読取部で前記原稿の画像を読み取る場合における撮影範囲を表示する撮影範囲表示部を有していることを特徴とする請求項４または５に記載のオーバーヘッド型画像読取装置。
【請求項７】
さらに、人が近付いたことを検出する人感センサを備えており、前記撮影範囲表示部は、前記人感センサでの検出結果に基づいて前記撮影範囲を表示することを特徴とする請求項６に記載のオーバーヘッド型画像読取装置。
【発明の詳細な説明】
【技術分野】
【０００１】
本発明は、画像読取ユニット及びオーバーヘッド型画像読取装置に関する。
【背景技術】
【０００２】
原稿の画像を読み取り、電気的に処理を行う画像読取装置では、従来より様々なタイプのものがあるが、これらの画像読取装置の中には、載置台等の上に原稿を載置し、原稿の読取面の上方から原稿を撮像して画像を読み取ることにより、読み取り時における容易性を高めた、いわゆるオーバーヘッドタイプの画像読取装置がある。
【０００３】
例えば、特許文献１に記載された撮像装置は、被撮像物が載置される載置面上に、屈曲自在な支柱が立設された台座を載置し、この台座に立設された支柱に、被撮像物を撮像するカメラを備えている。これにより、台座に載置した被撮像物を、カメラによって上方から撮像することができ、また、撮像時に、支柱を屈曲させることにより、撮像範囲を変化させることができる。
【０００４】
また、特許文献２に記載されたイメージスキャナ装置は、照明装置やイメージセンサ、レンズ、反射鏡を有する画像読取ユニットを、当該画像読取ユニットを可動状態に保持するスタンドアームによって原稿設置台に取り付けることにより保持している。これにより、原稿設置台上の原稿の画像を原稿の上方から画像読取ユニットで読み取ることができ、また、画像読取ユニットの不使用時には、画像読取ユニットを移動させることにより、原稿設置台上の空間を拡大させることができる。
【０００５】
また、特許文献３に記載されたイメージスキャナは、１次元イメージセンサと、レンズ、反射鏡、さらに、２次元イメージセンサを備える読込みユニットを、原稿台に取り付けられるアームによって保持しており、さらに、少なくとも２次元イメージセンサで読み込んだ画像を表示する表示装置を有している。これにより、２次元イメージセンサで読み込み、表示装置で表示した画像に基づいて１次元イメージセンサによって原稿の上方から原稿の画像を読み取ることにより、より適切に画像を読み取ることができる。
【０００６】
また、特許文献４に記載された非接触画像読取装置は、画像を読み取るカメラを支える支柱と、水平方向に移動可能な原稿台とを有している。これにより、原稿台を移動させることによって原稿の画像を上方から所定の範囲ごとにカメラで撮像し、撮像した複数の画像を合成することにより、サイズが大きい原稿の画像を撮像することができる。
【先行技術文献】
【特許文献】
【０００７】
【特許文献１】特許第２８６０１１９号公報
【特許文献２】特許第２９８２６１４号公報
【特許文献３】特許第３０２７９１５号公報
【特許文献４】特許第３９３１１０７号公報
【発明の概要】
【発明が解決しようとする課題】
【０００８】
ここで、このような画像読取装置で原稿の画像を読み取る場合には、原稿で反射した光を受光することによって読み取るが、特許文献３や特許文献４に記載されたイメージスキャナ等のように、原稿を照射する光源が設けられていない場合、装置の周辺の光である環境光を用いて画像を撮影することになる。このため、環境光によって原稿の画像を撮影する場合は、画質は環境光に依存することになるが、環境光は、画像読取装置が設置されている場所や読み取り時における状況によって大きく変化する。これにより、環境光を用いて画像を撮影した場合、画質が不安定になる場合がある。
【０００９】
一方、特許文献１や特許文献２に記載された撮像装置等のように、原稿全体を照射する光源が設けられている場合、所定の明るさを確保することはできるが、光源からの照射光によって原稿全体を照射する際に、原稿の場所によって明るさのムラが発生する場合がある。この場合、原稿で反射した反射光にもムラが発生するため、この反射光を受光することによって画像を読み取った場合、読み取った画像全体の明るさは確保できるものの、画質には不安定さが残る場合がある。さらに、特許文献１や特許文献２に記載された撮像装置等のように、光源からの照射光によって原稿全体を照射する場合、広範囲に光を照射する必要がある。このため、光源からの光量を多くする必要があり、これにより、光源での電力の消費量が多くなる傾向にあった。
【００１０】
本発明は、上記に鑑みてなされたものであって、消費電力の増加を抑えつつ、安定した画質で画像を読み取ることができる画像読取ユニット及びオーバーヘッド型画像読取装置を提供することを目的とする。
【課題を解決するための手段】
【００１１】
上述した課題を解決し、目的を達成するために、本発明に係る画像読取ユニットは一次元配列された撮像素子を有することにより原稿の画像を一次元の方向に読み取ることができる画像読取部と、前記画像読取部での画像の読み取り領域に光を照射する光源と、前記撮像素子の配列方向に平行な回転軸を中心として前記原稿に対して相対的に回転可能に前記画像読取部と前記光源とを保持する回転ヘッドと、を備えることを特徴とする。
【００１２】
この発明では、画像読取部での画像の読み取り領域に光を照射する光源を有しており、画像読取部と光源とは、回転ヘッドによって、原稿に対して相対的に回転可能に保持されている。これにより、画像読取部で原稿の画像を読み取る際には、光源から照射する光によって読み取ることができる。また、画像読取部と光源とは、回転ヘッドによって原稿に対して相対的に回転可能に保持されているため、原稿からの距離を所定の距離で維持しつつ、双方を回転させて光源で画像の読み取り領域を照射しながら、画像読取部で画像を読み取ることができる。さらに光源は、原稿全体には光を照射せずに、画像読取部での画像の読み取り領域に光を照射するので、照射範囲が狭くなっている。このため、光源からの照射光が照射される部分の明るさのムラを少なくすることができ、この照射光が照射された部分の原稿での反射光のムラを少なくすることができる。従って、画像読取部によって画像を読み取る際に、原稿と画像読取部との距離を所望の距離にしつつ、読み取る部分の明るさを一定の明るさにして読み取ることができる。また、光源は画像読取部での画像の読み取り領域に光を照射するため、必要最小限の光量で光を照射すればよく、このため、必要最小限の消費電力で画像を読み取ることができる。この結果、消費電力の増加を抑えつつ、安定した画質で画像を読み取ることができる。
【００１３】
また、上記画像読取ユニットにおいて、前記画像読取部と前記光源とは、前記画像読取部での画像の読み取り時における読み取り範囲を示す走査平面と、前記光源での照射範囲を示す照射平面とが同じ位置になるように配設されていることが好ましい。
【００１４】
この発明では、画像読取部と光源とは、走査平面と照射平面とが同じ位置になるように配設されているため、より確実に、画像読取部での画像の読み取り領域を光源で照射しながら画像を読み取ることができ、また、光源での照射範囲を、より確実に小さくすることができる。これにより、画像読取部での画像の読み取り時における読み取る部分の明るさを、より確実に一定の明るさにして読み取ることができると共に、消費電力を抑えることができる。この結果、より確実に、消費電力の増加を抑えつつ、安定した画質で画像を読み取ることができる。
【００１５】
また、上記画像読取ユニットにおいて、前記回転軸は、前記走査平面と同一の平面内に位置することが好ましい。
【００１６】
この発明では、画像読取部と光源とが原稿に対して相対的に回転する際における回転軸が、走査平面と同一の平面内に位置しているので、回転軸を中心として画像読取部を回転させることにより、原稿の画像を二次元の方向に読み取ることができる。つまり、画像読取部は原稿の画像を一次元の方向に読み取ることができるように設けられているが、走査平面と同一の平面内に位置する回転軸を中心として画像読取部を回転させながら画像を読み取ることにより、画像読取部で画像を読み取る際の一次元の方向と直交する方向にも画像を読み取ることができる。従って、原稿の画像を一次元の方向に読み取る画像読取部を用いて、より確実に二次元の方向に画像を読み取ることができる。この結果、製造コストを抑えつつ、より確実に原稿の画像を読み取ることができる。
【００１７】
また、上記画像読取ユニットにおいて、前記画像読取部は、前記回転軸を中心として回転することにより前記原稿の画像を読み取ることが好ましい。
【００１８】
この発明では、画像読取部は、回転軸を中心として回転することにより原稿の画像を読み取るので、原稿の画像を一次元の方向に読み取る画像読取部を用いて、二次元の方向に原稿の画像を読み取ることができる。この結果、製造コストを抑えつつ、より確実に原稿の画像を読み取ることができる。
【００１９】
また、上述した課題を解決し、目的を達成するために、本発明に係るオーバーヘッド型画像読取装置は、上述した画像読取ユニットと、前記原稿を載置する載置面に固定され、且つ、前記画像読取ユニットを支持するアームと、を備えることを特徴とする。
【００２０】
この発明では、原稿を載置する載置面に固定されるアームを設け、画像読取部を備える画像読取ユニットは、このアームによって支持している。これにより、画像読取部と原稿との距離を一定の距離にすることができ、原稿の画像を画像読取部で読み取る際に、容易にピントを合わせることができる。また、画像読取ユニットをアームによって支持することにより、画像読取部及び光源と、原稿との双方の距離を、より確実に所定の距離で維持しつつ、原稿の画像を読み取ることができる。従って、画像読取部によって画像を読み取る際に、原稿と画像読取部との距離を、より確実に所望の距離にしつつ、読み取る部分の明るさを一定の明るさにして読み取ることができる。さらに、画像読取ユニットをアームによって支持することにより、原稿と画像読取部、及び原稿と光源との位置関係を所定の状態で維持することができるため、より確実に、必要最小限の光量で、光源によって画像読取部の画像の読み取り領域を照射することができる。この結果、消費電力の増加を抑えつつ、安定した画質で画像を読み取ることができる。
【００２１】
また、上記オーバーヘッド型画像読取装置において、前記アームは、前記載置面に載置可能なベース部に接続されており、前記ベース部を前記載置面に載置することにより、前記アームは前記載置面に固定されることが好ましい。
【００２２】
この発明では、アームは、載置面に載置可能なベース部に接続されているので、アームを載置面に固定する場合には、ベース部を載置面に載置するのみで固定することができ、アームを容易に載置面に固定することができる。これにより、画像読取部と原稿との距離を容易に一定の距離にすることができ、原稿の画像を画像読取部で読み取る際に、より容易にピントを合わせることができる。この結果、より容易に、安定した画質で画像を読み取ることができる。
【００２３】
また、上記オーバーヘッド型画像読取装置において、さらに、前記画像読取部で前記原稿の画像を読み取る場合における撮影範囲を表示する撮影範囲表示部を有していることが好ましい。
【００２４】
この発明では、撮影範囲表示部を有しているので、画像読取部で原稿の画像を読み取る際に、画像を読み取りたい部分を撮影範囲内に配置して画像を読み取ることにより、より確実に原稿における所望の範囲の画像を読み取ることができる。この結果、より確実に所望の画像を得ることができる。
【００２５】
また、上記オーバーヘッド型画像読取装置において、さらに、人が近付いたことを検出する人感センサを備えており、前記撮影範囲表示部は、前記人感センサでの検出結果に基づいて前記撮影範囲を表示することが好ましい。
【００２６】
この発明では、人感センサでの検出結果に基づいて撮影範囲表示部で撮影範囲を表示するので、原稿の画像を読み取る際に、使用者がオーバーヘッド型画像読取装置に近付いた時点で撮影範囲を表示することができる。これにより、原稿の画像を読み取る際に、画像を読み取りたい部分を容易に撮影範囲内に配置することができ、より容易に、原稿における所望の範囲の画像を読み取ることができる。この結果、より容易に所望の画像を得ることができる。
【発明の効果】
【００２７】
本発明に係る画像読取ユニット及びオーバーヘッド型画像読取装置は、消費電力の増加を抑えつつ、安定した画質で画像を読み取ることができる、という効果を奏する。
【図面の簡単な説明】
【００２８】
【図１】図１は、実施形態に係るオーバーヘッド型画像読取装置の斜視図である。
【図２】図２は、図１に示す回転ヘッドの要部断面図である。
【図３】図３は、図２に示すライン光源部の断面図である。
【図４】図４は、図１に示すオーバーヘッド型画像読取装置の構成の概略を示す説明図である。
【図５】図５は、原稿の画像を読み取る場合における説明図である。
【図６】図６は、ラインセンサによる走査平面とライン光源部による照射平面との関係を示す説明図である。
【図７】図７は、図６のＡ−Ａ断面図である。
【発明を実施するための形態】
【００２９】
以下に、本発明に係る画像読取ユニット及びオーバーヘッド型画像読取装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００３０】
〔実施形態〕
図１は、実施形態に係るオーバーヘッド型画像読取装置の斜視図である。同図に示すオーバーヘッド型画像読取装置１は、当該オーバーヘッド型画像読取装置１を任意の部分に載置する際における脚部となるベース部であるベース１５と、一端がベース１５に接続されるアーム１０と、アーム１０におけるベース１５に接続される側の反対側に設けられると共に回転ヘッド６とヘッド支持部７とを有し、ヘッド支持部７によって回転ヘッド６を回転可能に支持する回転ヘッド部５と、を有している。
【００３１】
このうち、ベース１５は、コの字状の形状で形成されており、コの字における、中央の直線部分の両端で当該直線部分に対して直交して直線部分に接続されている部分は、ガイド部１６として形成されている。このガイド部１６は、オーバーヘッド型画像読取装置１を安定して設置する目的と、原稿７５（図５参照）の画像の読み取り時に原稿７５を載置する場合における載置位置の目安としての目的とを兼ねて設けられている。即ち、ベース１５には、２つのガイド部１６が設けられているが、この２つのガイド部１６の間隔は、オーバーヘッド型画像読取装置１で原稿７５の画像を読み取る際における読み取り幅を概ね示して形成されている。ベース１５に接続されるアーム１０は、このように形成されるベース１５における、ガイド部１６間に位置する部分の中央付近に接続されており、ベース１５から、当該オーバーヘッド型画像読取装置１の通常の使用態様における上方に向けて配設されている。
【００３２】
また、回転ヘッド部５は、本発明に係る画像読取ユニットの一例として設けられており、画像読取ユニットの実施形態である回転ヘッド部５は、上記のように配設されるアーム１０における、ベース１５に接続されている側の端部の反対側に接続されている。詳しくは、回転ヘッド部５は、アーム１０における、ベース１５に接続されている側の端部の反対側の端部に、当該回転ヘッド部５のヘッド支持部７が接続されることによりアーム１０に接続され、アーム１０に支持されている。また、アーム１０によって支持される回転ヘッド部５が有する回転ヘッド６は、ヘッド支持部７によって、ヘッド支持部７に対して回転可能に支持されている。詳しくは、ヘッド支持部７は、２つのヘッド支持部７がベース１５のガイド部１６間の方向に離間すると共に、２つのヘッド支持部７は、ベース１５におけるアーム１０が接続されている部分に対してガイド部１６が突出している方向と同じ方向に突出して設けられている。
【００３３】
また、このヘッド支持部７には、任意の回転角度で回転可能なモータ５０（図４参照）が内設されている。回転ヘッド６は、このように設けられる２つのヘッド支持部７の間に配設され、この２つのヘッド支持部７間の方向に向かって延びる回転軸ＲＡを中心として、モータ５０によって回転可能にヘッド支持部７によって支持されている。
【００３４】
また、ベース１５のガイド部１６は、このように２つのヘッド支持部７間の方向に向かって延びる回転軸ＲＡに対して直交する方向に突出して形成されている。
【００３５】
アーム１０には、人の手が近付いたら反応をする人感センサ４０が設けられている。この人感センサ４０としては、例えば、赤外線を使用し、人の手で反射をする赤外線を検出することにより人の手が近付いたことを検出する赤外センサや、静電容量型の近接センサ等が用いられる。また、ベース１５の近傍には、本実施形態に係るオーバーヘッド型画像読取装置１で原稿７５の画像を読み取る際に、読み取り開始の指示を行う開始指示手段であるスキャンスイッチ４５が配設されている。
【００３６】
図２は、図１に示す回転ヘッドの要部断面図である。ヘッド支持部７によって支持される回転ヘッド６は、複数の撮像素子（図示省略）を有することにより原稿７５の画像を読み取ることが可能な画像読取部であるラインセンサ２０と、ラインセンサ２０での画像の読み取り領域に光を照射する光源であるライン光源部２５と、を有している。このうち、ラインセンサ２０が有する撮像素子は、回転軸ＲＡに平行な方向に一次元配列状に複数が配設されており、光を受光した際に受光した光を電気信号に変換する受光部として設けられている。ラインセンサ２０は、このように複数の撮像素子が一次元配列状に配設されることにより、原稿７５の画像を回転軸ＲＡに平行な一次元の方向に読み取ることが可能になっている。
【００３７】
このように、回転ヘッド６にラインセンサ２０やライン光源部２５が設けられる回転ヘッド部５は、アーム１０に接続されるヘッド支持部７によって回転ヘッド６を回転可能に支持することにより、ラインセンサ２０とライン光源部２５とを、撮像素子の配列方向に平行な回転軸ＲＡを中心としてアーム１０に対して相対的に回転可能に保持している。
【００３８】
なお、ラインセンサ２０に設けられる撮像素子は、赤（Ｒｅｄ）色の光を検出可能な撮像素子と、緑（Ｇｒｅｅｎ）色の光を検出可能な撮像素子と、青（Ｂｌｕｅ）色の光を検出可能な撮像素子とを有しており、それぞれの撮像素子で検出した光の信号を合成することにより、カラー画像を読み取ることができる。
【００３９】
また、回転ヘッド６には、原稿７５の方向からの光をラインセンサ２０に対して集光するレンズ３５と、レンズ３５でラインセンサ２０に対して集光する際における焦点を調節するフォーカス機構３８と、を有している。このうち、フォーカス機構３８は、ピエゾモータやボイスコイルモータ等のアクチュエータを有しており、このアクチュエータによって、レンズ３５をラインセンサ２０との距離方向に動かすことが可能になっている。フォーカス機構３８は、このアクチュエータでレンズ３５を動かしてレンズ３５とラインセンサ２０との距離を調節することにより、焦点の位置を調節し、原稿７５の方向からの光をレンズ３５によってラインセンサ２０に集光させることが可能になっている。
【００４０】
また、ライン光源部２５は、回転ヘッド６に複数設けられており、この複数のライン光源部２５は、２つのヘッド支持部７の間隔の方向におけるレンズ３５の両脇に配設されている。
【００４１】
図３は、図２に示すライン光源部の断面図である。回転ヘッド６に設けられるライン光源部２５について詳しく説明すると、このライン光源部２５は、光を発する白色ＬＥＤ（Ｌｉｇｈｔ  Ｅｍｉｔｔｉｎｇ  Ｄｉｏｄｅ）２６と、白色ＬＥＤ２６で発した光を平行光線にするコリメータレンズ２８と、白色ＬＥＤ２６で発し、コリメータレンズ２８によって平行光線となった光を回転軸ＲＡに平行な方向にライン化する拡散板２９と、白色ＬＥＤ２６で発生した熱を放熱する放熱板３０と、これらの白色ＬＥＤ２６、コリメータレンズ２８、拡散板２９、放熱板３０等を保持するホルダ２７と、を有している。
【００４２】
このうち、コリメータレンズ２８は、白色ＬＥＤ２６で光を発した際における光の進行方向側に配設されており、拡散板２９は、コリメータレンズ２８で白色ＬＥＤ２６を平行光線にする場合における平行光線の進行方向側に配設されている。また、放熱板３０は、白色ＬＥＤ２６の発光部分の反対側に配設されており、ライン光源部２５の外部側に配設されている。
【００４３】
また、拡散板２９は、コリメータレンズ２８によって平行光線となった白色ＬＥＤ２６からの光を回転軸ＲＡに平行な方向にライン化するため、即ち、拡散板２９は、ラインセンサ２０で原稿７５の画像を一次元の方向に読み取る際における方向に対して平行な方向に、コリメータレンズ２８からの平行光線をライン化して照射する。また、回転軸ＲＡを中心とする周方向における、ライン光源部２５からの光の照射方向と、ラインセンサ２０での原稿７５の画像の読み取り方向とは、ほぼ同じ方向になっている。
【００４４】
図４は、図１に示すオーバーヘッド型画像読取装置の構成の概略を示す説明図である。これらのように設けられるオーバーヘッド型画像読取装置１は、当該オーバーヘッド型画像読取装置１の全体の制御を行う制御部６０を有しており、制御部６０はアーム１０に内設されている。この制御部６０には、回転ヘッド６に設けられるラインセンサ２０やライン光源部２５が接続されており、この回転ヘッド６を回転させるモータ５０も接続されている。また、読み取り開始の指示を行うスキャンスイッチ４５や、ラインセンサ２０が有する３色（ＲＧＢ）の撮像素子でＲＧＢの信号を検出し、これらの信号を合成する際の位置合わせに用いる位置センサ５５も制御部６０に接続されている。さらに、オーバーヘッド型画像読取装置１との間で信号の入出力を行うＰＣ（Ｐｅｒｓｏｎａｌ  Ｃｏｍｐｕｔｅｒ）等の外部の機器も、この制御部６０に接続されている。
【００４５】
これらの各部が接続される制御部６０は、外部から取り入れた電気を、オーバーヘッド型画像読取装置１の各電気部品で使用可能な電力に変圧し、各部に供給する電源６１と、オーバーヘッド型画像読取装置１の各部と外部の装置との間で信号の入出力を行う際における外部の装置との接続部分である外部Ｉ／Ｆ（Ｉｎｔｅｒｆａｃｅ）６２と、主記憶装置であるメモリ６３と、各種の演算処理を行うＣＰＵ（Ｃｅｎｔｒａｌ  Ｐｒｏｃｅｓｓｉｎｇ  Ｕｎｉｔ）６４と、ライン光源部２５での発光の制御を行う照明ドライバ６５と、ラインセンサ２０で検出した光のアナログ信号のゲイン調節やオフセット調節を行うアナログフロントエンド回路（ＡＦＥ）６６と、回転ヘッド６を回転させるモータ５０の回転を調節するモータドライバ６７と、を有している。
【００４６】
本実施形態に係るオーバーヘッド型画像読取装置１は、以上のごとき構成からなり、以下、その作用について説明する。図５は、原稿の画像を読み取る場合における説明図である。本実施形態に係るオーバーヘッド型画像読取装置１は、例えば机の上などに載置して使用するが、原稿７５の画像を読み取る場合は、オーバーヘッド型画像読取装置１が載置されている部分を載置面７０とし、原稿７５をこの載置面７０に載置した状態で読み取る。
【００４７】
ここで、オーバーヘッド型画像読取装置１を載置面７０に載置する場合には、ベース１５におけるアーム１０が接続されている側の面の反対側の面を載置面７０に対向させ、載置面７０に接触させて載置する。ベース１５は、このように載置面７０に載置可能に設けられており、アーム１０はこのベース１５に接続されている。このため、ベース１５を載置面７０に載置した場合には、アーム１０は載置面７０に固定された状態になる。
【００４８】
ベース１５を載置面７０に載置することにより、アーム１０は、このように載置面７０に固定された状態になるため、アーム１０によって支持されている回転ヘッド部５は、載置面７０からの距離が一定の距離で維持される。このため、回転ヘッド部５の回転ヘッド６に保持されるラインセンサ２０やライン光源部２５も、載置面７０からの距離が一定の距離で維持された状態になる。
【００４９】
このように、ベース１５を載置面７０に載置した状態のオーバーヘッド型画像読取装置１で原稿７５の画像を読み取る際に、原稿７５を載置面７０に載置にする場合には、ベース１５におけるガイド部１６が突出している側に載置する。この場合、原稿７５が例えば矩形状の形状で形成されている場合には、少なくとも一部が２つのガイド部１６の間に位置した状態で、４つの辺のうちの１組の平行な辺が、ガイド部１６が形成されている向きと平行に近くなる向きで載置するのが好ましい。
【００５０】
原稿７５の画像を読み取る場合には、原稿７５をこのように載置面７０に載置した状態で読み取るが、原稿７５をベース１５の近傍に載置すると、人感センサ４０が、使用者の手が近付いたことを検出する。この検出が行われた場合には、制御部６０は原稿７５の読み取りが行われるものであると判断し、各部に電気の供給を開始する等の読み取り開始の準備を行う。
【００５１】
実際に原稿７５の画像の読み取りを開始する場合には、スキャンスイッチ４５に対して、原稿７５の読み取りを開始させる入力操作を行う。使用者がスキャンスイッチ４５に対して入力操作を行った場合には、この読み取り開始の入力は、制御部６０に伝達される。スキャンスイッチ４５から、読み取り開始の信号が伝達された制御部６０は、原稿７５の画像を読み取るために必要な各部を作動させる。具体的には、照明ドライバ６５でライン光源部２５を制御することにより、ライン光源部２５を点灯させながら、ラインセンサ２０の撮像素子で検出した原稿７５側からの光をＡＦＥ６６で調節する。
【００５２】
その際に、モータドライバ６７でモータ５０を作動させ、回転軸ＲＡを中心として回転ヘッド６を回転させる。このように回転軸ＲＡを中心として回転する回転ヘッド６は、換言すると、回転軸ＲＡを中心として原稿７５に対して相対的に回転可能にラインセンサ２０とライン光源部２５とを保持している。このように回転ヘッド６を回転させる場合における回転軸ＲＡは、回転ヘッド６で保持するラインセンサ２０での画像の読み取り方向や、ライン光源部２５で照射する照射光のラインの方向と平行な方向になっている。このため、回転ヘッド６を回転させた場合には、当該回転ヘッド６で保持するラインセンサ２０での画像の読み取り位置や、ライン光源部２５での照射位置は、回転軸ＲＡと直交する方向に移動する。
【００５３】
図６は、ラインセンサによる走査平面とライン光源部による照射平面との関係を示す説明図である。図７は、図６のＡ−Ａ断面図である。ここで、ラインセンサ２０での画像を読み取る場合の読み取り範囲と、ライン光源部２５での光の照射範囲とについて説明する。ラインセンサ２０は、画像の読み取り時は一次元の方向に画像を読み取るため、ラインセンサ２０による画像の読み取り範囲は、ラインセンサ２０からの距離の方向、即ち、ラインセンサ２０で読み取る光の入光部分であるレンズ３５からの距離の方向と、ラインセンサ２０での一次元の読み取り方向とからなる平面である走査平面Ｐｓｃになる。つまり、走査平面Ｐｓｃは、ラインセンサ２０での画像の読み取り時における読み取り範囲を示す平面になっている。
【００５４】
また、ライン光源部２５で光を照射する際における照射範囲は、ライン光源部２５からの距離の方向と、ライン光源部２５でライン化して照射する光のラインの方向とからなる平面である照射平面Ｐｌｔになる。また、ライン光源部２５は、回転ヘッド６に複数が設けられているが、複数のそれぞれのライン光源部２５は、光を照射する際における照射範囲を示す平面である照射平面Ｐｌｔの形態で、光を照射する。
【００５５】
また、走査平面Ｐｓｃの形態で画像を読み取るラインセンサ２０は、原稿７５の画像を回転軸ＲＡに平行な方向に読み取り、照射平面Ｐｌｔの形態で光を照射するライン光源部２５は、回転軸ＲＡに平行な方向に光をライン化して照射する。このため、走査平面Ｐｓｃと照射平面Ｐｌｔとは、共に回転軸ＲＡと平行な平面になっている。換言すると、回転軸ＲＡは、走査平面Ｐｓｃや照射平面Ｐｌｔと同一の平面内に位置している。
【００５６】
ここで、ライン光源部２５は、回転軸ＲＡを中心とする周方向における光の照射方向が、ラインセンサ２０での原稿７５の画像の読み取り方向と、ほぼ同じ方向になっている。このため、走査平面Ｐｓｃと照射平面Ｐｌｔとは、重なった状態になる。さらに、ライン光源部２５は、２つのヘッド支持部７の間隔の方向、即ち、回転軸ＲＡの方向におけるレンズ３５の両脇に配設されているため、照射平面Ｐｌｔは、回転軸ＲＡに平行な方向における走査平面Ｐｓｃの両側から走査平面Ｐｓｃに対して重なった状態になる。つまり、ラインセンサ２０とライン光源部２５とは、走査平面Ｐｓｃと照射平面Ｐｌｔとが同じ位置になるように配設されており、これにより、ライン光源部２５で光を照射しながら原稿７５の画像を読み取る場合には、走査平面Ｐｓｃと照射平面Ｐｌｔとが同じ位置になって画像を読み取る、或いは、光を照射する。
【００５７】
ラインセンサ２０で原稿７５の画像を読み取る場合には、このように走査平面Ｐｓｃに沿って画像を読み取るが、走査平面Ｐｓｃに沿って原稿７５の画像を読み取る場合、実際には、原稿７５や載置面７０における走査平面Ｐｓｃが交差する部分の画像を読み取る。この場合、走査平面Ｐｓｃは、レンズ３５からの距離の方向とラインセンサ２０での一次元の読み取り方向とからなる平面であるため、ラインセンサ２０での所定の走査時に画像を読み取る部分は、原稿７５上や載置面７０上においてラインセンサ２０での一次元の読み取り方向に沿った方向になる。即ち、ラインセンサ２０での所定の走査時における走査平面Ｐｓｃと、原稿７５や載置面７０とが交差することにより、画像が読み取られる部分は、回転軸ＲＡに平行な方向になる。
【００５８】
同様に、ライン光源部２５から光を照射する場合には、照射平面Ｐｌｔに沿って光を照射するが、照射平面Ｐｌｔに沿って光を照射する場合、原稿７５や載置面７０における照射平面Ｐｌｔが交差する部分に光を照射する。この場合、照射平面Ｐｌｔは、ライン光源部２５からの距離の方向と、ライン光源部２５でライン化して照射する光のラインの方向とからなる平面になっている。このため、回転ヘッド６の回転角度が所定の角度の場合における、ライン光源部２５から原稿７５や載置面７０に対して光を照射する部分は、原稿７５上や載置面７０上においてライン光源部２５でライン化する照射光のラインの方向に沿った方向、即ち、回転軸ＲＡに平行な方向になる。
【００５９】
これらのように、ラインセンサ２０で原稿７５の画像を読み取る場合には、回転軸ＲＡに平行な方向に画像を読み取り、ライン光源部２５から光を照射する場合には、回転軸ＲＡに平行な方向に照射するが、走査平面Ｐｓｃと照射平面Ｐｌｔとは、同じ位置になっている。このため、画像を読み取る部分と光を照射する部分とも重なり、双方は同じ位置となる部分を有して画像を読み取ったり、光を照射したりする。従って、ラインセンサ２０で原稿７５の画像を読み取る場合には、ライン光源部２５からの光が照射されている部分の画像を読み取る。即ち、ラインセンサ２０は、ライン光源部２５から回転軸ＲＡに平行なライン状の形態で照射され、原稿７５等で反射した光を受光することにより、原稿７５の画像を回転軸ＲＡに平行な一次元の方向に読み取る。
【００６０】
原稿７５の画像を読み取る場合には、回転軸ＲＡを中心として回転ヘッド６を回転させながら、これらのようにライン光源部２５で照射平面Ｐｌｔの形態で光を照射し、走査平面Ｐｓｃと交差する部分の原稿７５の画像をラインセンサ２０で読み取る。ラインセンサ２０とライン光源部２５とは、共に回転ヘッド６に設けられており、回転ヘッド６の回転時には、これらも一体となって回転をする。このため、走査平面Ｐｓｃと照射平面Ｐｌｔとは、回転軸ＲＡを中心として共に回転し、回転軸ＲＡを中心とする周方向の角度が、双方が重なって同じ位置の状態のまま変化する。従って、原稿７５や載置面７０において走査平面Ｐｓｃや照射平面Ｐｌｔと交差する部分も、双方が重なって同じ位置のまま、回転軸ＲＡと直交する方向に移動する。
【００６１】
ラインセンサ２０は、走査平面Ｐｓｃと原稿７５等とが交差する部分の光を受光することにより、回転軸ＲＡに平行な方向の原稿７５の画像を読み取るが、ライン光源部２５と共に回転軸ＲＡを中心として回転し、回転軸ＲＡと直交する方向に走査平面Ｐｓｃと原稿７５等とが交差する部分が移動した場合には、回転軸ＲＡと直交する方向の画像も読み取る。
【００６２】
つまり、ラインセンサ２０は、走査平面Ｐｓｃと原稿７５等との交差部を回転軸ＲＡに直交する方向に移動させながら、この交差部の原稿７５の画像を読み取ることにより、回転軸ＲＡに平行な方向の画像を読み取りつつ、読み取り部分の移動方向である回転軸ＲＡに直交する方向の画像を読み取ることができる。これにより、ラインセンサ２０は、回転軸ＲＡに平行な方向と、回転軸ＲＡに直交する方向との双方の範囲における原稿７５の画像である二次元方向の原稿７５の画像を読み取ることができ、ラインセンサ２０は、原稿７５上を移動する、走査平面Ｐｓｃと原稿７５等との交差部の範囲内の画像を読み取る。
【００６３】
なお、このように、回転軸ＲＡを中心としてラインセンサ２０を回転させた場合、ラインセンサ２０と原稿７５との距離は、回転角度ごとに変化する。即ち、ラインセンサ２０と原稿７５との距離は、移動する走査平面Ｐｓｃと原稿７５等との交差部の位置ごとに異なっている。このため、回転ヘッド６を回転させてラインセンサ２０を回転させながら原稿７５の画像を読み取る際には、回転角度に応じてフォーカス機構３８を作動させることによりレンズ３５を移動させ、ラインセンサ２０に対する焦点の位置を調節しながら、即ち、ピントを調節しながら読み取る。
【００６４】
このように、ラインセンサ２０は、回転ヘッド部５が回転軸ＲＡを中心としてラインセンサ２０を回転させる動作を行うことにより、原稿７５の画像を読み取る。従って、ラインセンサ２０が回転することによって移動する、走査平面Ｐｓｃと原稿７５等との交差部の範囲内が、ラインセンサ２０による、或いは、本実施形態に係るオーバーヘッド型画像読取装置１による画像の読み取り範囲である走査範囲Ａｓｃになっている。同様に、ライン光源部２５も、回転ヘッド部５が回転軸ＲＡを中心としてライン光源部２５を回転させる動作を行うことにより、ライン状の照射部分を移動させて原稿７５を照射する。従って、ライン光源部２５が回転することによって移動する、照射平面Ｐｌｔと原稿７５等との交差部の範囲内が、ライン光源部２５による、或いは、本実施形態に係るオーバーヘッド型画像読取装置１による原稿７５や載置面７０への照射範囲Ａｌｔになっている。これらの走査範囲Ａｓｃと照射範囲Ａｌｔとは、走査平面Ｐｓｃと照射平面Ｐｌｔとの関係と同様に、双方は重なり、ほぼ同じ位置及び範囲となっている。
【００６５】
また、原稿７５の画像を読み取る場合、ラインセンサ２０は、このように回転ヘッド６が回転することにより、走査範囲Ａｓｃ内の原稿７５の画像を読み取るが、回転ヘッド６は、原稿７５の画像の読み取り開始前は、走査平面Ｐｓｃや照射平面Ｐｌｔと原稿７５等との交差部がベース１５の近傍に位置している状態で停止している。この状態で、原稿７５の画像の読み取りを開始した場合、これらの交差部がベース１５から離れる方向に、回転ヘッド６は回転軸ＲＡを中心として回転し、所定の角度まで回転した場合、モータ５０は逆回転を開始し、回転ヘッド６も、それまでの回転方向の反対方向に回転をする。つまり、この場合は、回転ヘッド６は、走査平面Ｐｓｃや照射平面Ｐｌｔと原稿７５等との交差部がベース１５に近付く方向の回転を開始する。
【００６６】
ここで、ラインセンサ２０とライン光源部２５とは、回転ヘッド６が回転することにより、走査平面Ｐｓｃや照射平面Ｐｌｔがベース１５から離れる方向の所定の角度まで回転した場合には、ラインセンサ２０による原稿７５の画像の読み取りを停止し、ライン光源部２５による光の照射を停止する。このため、走査平面Ｐｓｃや照射平面Ｐｌｔがベース１５に近付く方向に回転ヘッド６が回転をする場合には、原稿７５の画像の読み取りを行わずに回転をする。
【００６７】
このように、走査平面Ｐｓｃと照射平面Ｐｌｔとがベース１５に近付く方向に回転ヘッド６が回転し、回転ヘッド６の回転角度が原稿７５の画像の読み取り前の角度になり、走査平面Ｐｓｃや照射平面Ｐｌｔと原稿７５等との交差部と、ベース１５との距離が原稿７５の画像の読み取り前の距離になったら、モータ５０は停止し、回転ヘッド６は回転を停止する。つまり、回転ヘッド６は、原稿７５の画像の読み取り前の状態に戻る。これにより、オーバーヘッド型画像読取装置１は、原稿７５の画像を読み取った後、動作を停止する。
【００６８】
なお、オーバーヘッド型画像読取装置１は、このように原稿７５の画像を読み取るが、ラインセンサ２０で読み取った原稿７５の画像情報は、ＰＣに伝達されてシェーディングやクロッピング等、ＰＣで適切な、或いは任意の処理が施される。
【００６９】
以上の回転ヘッド部５は、ラインセンサ２０での画像の読み取り領域に光を照射するライン光源部２５を有しており、ラインセンサ２０とライン光源部２５とは、回転ヘッド部５によって、原稿７５に対して相対的に回転可能に保持されている。これにより、ラインセンサ２０で原稿７５の画像を読み取る際には、ライン光源部２５から照射し、原稿７５で反射した光をラインセンサ２０が有する撮像素子で受光することにより、読み取ることができる。また、ラインセンサ２０とライン光源部２５とは、回転ヘッド部５が有する回転ヘッド６によって原稿７５に対して相対的に回転可能に保持されているため、原稿７５からの距離を所定の距離で維持しつつ、双方を回転させてライン光源部２５で画像の読み取り領域を照射しながら、ラインセンサ２０で画像を読み取ることができる。さらにライン光源部２５は、原稿７５全体には光を照射せずに、ラインセンサ２０での画像の読み取り領域に光を照射するので、照射範囲が狭くなっている。このため、ライン光源部２５からの照射光が照射される部分の明るさのムラを少なくすることができ、この照射光が照射された部分の原稿７５での反射光のムラを少なくすることができる。従って、ラインセンサ２０によって画像を読み取る際に、原稿７５とラインセンサ２０との距離を所望の距離にしつつ、読み取る部分の明るさを一定の明るさにして読み取ることができる。また、ライン光源部２５はラインセンサ２０での画像の読み取り領域に光を照射するため、必要最小限の光量で光を照射すればよく、このため、必要最小限の消費電力で画像を読み取ることができる。この結果、消費電力の増加を抑えつつ、安定した画質で画像を読み取ることができる。
【００７０】
また、ラインセンサ２０とライン光源部２５とは、走査平面Ｐｓｃと照射平面Ｐｌｔとが同じ位置になるように配設されている。このため、ラインセンサ２０で原稿７５の画像を読み取る際に、より確実に、画像の読み取り領域をライン光源部２５で照射しながら読み取ることができ、また、ライン光源部２５での照射範囲を、より確実に小さくすることができる。これにより、ラインセンサ２０での画像の読み取り時における読み取る部分の明るさを、より確実に一定の明るさにして読み取ることができると共に、消費電力を抑えることができる。この結果、より確実に、消費電力の増加を抑えつつ、安定した画質で画像を読み取ることができる。
【００７１】
また、回転ヘッド６が回転をする際における回転軸ＲＡ、即ち、ラインセンサ２０とライン光源部２５とが原稿７５に対して相対的に回転する際における回転軸ＲＡは、走査平面Ｐｓｃと同一の平面内に位置している。このため、ラインセンサ２０を有する回転ヘッド６を、回転軸ＲＡを中心として回転させることにより、原稿７５の画像を二次元の方向に読み取ることができる。
【００７２】
つまり、ラインセンサ２０は、原稿７５の画像を一次元の方向に読み取ることができるように設けられているが、走査平面Ｐｓｃと同一の平面内に位置する回転軸ＲＡを中心としてラインセンサ２０を回転させながら画像を読み取ることにより、ラインセンサ２０で画像を読み取る際の一次元の方向と直交する方向にも画像を読み取ることができる。従って、原稿７５の画像を二次元の方向に読み取る際に、多数の撮像素子を二次元方向に配列することにより画像を二次元の方向に読み取る、いわゆるエリアセンサを用いることなく、撮像素子が一次元配列され、画像を一次元の方向に読み取るラインセンサ２０によって、より確実に二次元の方向に画像を読み取ることができる。この結果、製造コストを抑えつつ、より確実に原稿７５の画像を読み取ることができる。
【００７３】
また、原稿７５の画像の読み取り時には、回転ヘッド６の回転動作によって、回転軸ＲＡを中心としてラインセンサ２０が回転することにより、ラインセンサ２０で原稿７５の画像を読み取っている。これにより、原稿７５の画像を一次元の方向に読み取るラインセンサ２０を用いて、より確実に二次元の方向に原稿７５の画像を読み取ることができる。この結果、製造コストを抑えつつ、より確実に原稿７５の画像を読み取ることができる。
【００７４】
また、ラインセンサ２０とライン光源部２５とを、共に回転ヘッド６で保持し、ヘッド支持部７に設けられるモータ５０によって回転ヘッド６を回転させることにより、ラインセンサ２０とライン光源部２５とを、容易に一体となって回転させることができる。これにより、走査平面Ｐｓｃと照射平面Ｐｌｔとが同じ位置の状態を維持したまま、原稿７５上を容易に移動させることができ、ラインセンサ２０での画像の読み取り時における読み取る部分の明るさを、より容易に、且つ、確実に、一定の明るさにして読み取ることができる。この結果、容易に、且つ、確実に、安定した画質で画像を読み取ることができる。
【００７５】
また、本実施形態に係るオーバーヘッド型画像読取装置１は、原稿７５を載置する載置面７０に固定されるアーム１０を設け、ラインセンサ２０を備える回転ヘッド部５は、このアーム１０によって支持している。これにより、ラインセンサ２０と原稿７５との距離を一定の距離にすることができ、原稿７５の画像をラインセンサ２０で読み取る際に、容易にピントを合わせることができる。また、回転ヘッド部５をアーム１０によって支持することにより、ラインセンサ２０及びライン光源部２５と、原稿７５との双方の距離を、より確実に所定の距離で維持しつつ、原稿７５の画像を読み取ることができる。従って、ラインセンサ２０によって画像を読み取る際に、原稿７５とラインセンサ２０との距離を、より確実に所望の距離にしつつ、読み取る部分の明るさを一定の明るさにして読み取ることができる。さらに、回転ヘッド部５をアーム１０によって支持することにより、原稿７５とラインセンサ２０、及び原稿７５とライン光源部２５との位置関係を所定の状態で維持することができるため、より確実に、必要最小限の光量で、ライン光源部２５によってラインセンサ２０の画像の読み取り領域を照射することができる。この結果、消費電力の増加を抑えつつ、安定した画質で画像を読み取ることができる。
【００７６】
また、アーム１０は、載置面７０に載置可能なベース１５に接続されているので、アーム１０を載置面７０に固定する場合には、ベース１５を載置面７０に載置するのみで固定することができ、アーム１０を容易に載置面７０に固定することができる。これにより、ラインセンサ２０と原稿７５との距離を容易に一定の距離にすることができ、原稿７５の画像をラインセンサ２０で読み取る際に、より容易にピントを合わせることができる。この結果、より容易に、安定した画質で画像を読み取ることができる。
【００７７】
また、原稿７５は、机の上等の載置面７０に載置して画像を読み取るので、オーバーヘッド型画像読取装置１に原稿７５専用の保持部を設ける必要がなくなる。これにより、オーバーヘッド型画像読取装置１の小型化を図ることができる。この結果、オーバーヘッド型画像読取装置１を使用していない場合に、オーバーヘッド型画像読取装置１を配置している部分を有効的に使用することができると共に、オーバーヘッド型画像読取装置１での原稿７５の読み取り時には、机の上等を載置面７０として使用することができるので、利便性を高めることができる。
【００７８】
また、ベース１５にはガイド部１６が設けられているため、オーバーヘッド型画像読取装置１を載置面７０に載置する際における安定性を向上させることができる。さらに、このガイド部１６は、原稿７５の画像を読み取る際における読み取り幅を示しているので、原稿７５を載置面７０に載置して画像を読み取る際に、画像の読み取りが可能な部分に容易に載置することが出来ると共に、画像を読み取ることができる範囲を、容易に認識することができる。この結果、原稿７５の画像の読み取り時における利便性を向上させることができる。
【００７９】
なお、実施形態に係るオーバーヘッド型画像読取装置１は、原稿７５を載置面７０に載置した状態で、ラインセンサ２０が回転軸ＲＡを中心として回転しながら読み取るため、画像を読み取ることができる範囲がわかり難い場合がある。このため、オーバーヘッド型画像読取装置１は、ラインセンサ２０で原稿７５の画像を読み取る場合における撮影範囲を表示する撮影範囲表示部を有していてもよい。
【００８０】
撮影範囲表示部としては、例えば、ライン光源部２５とは異なる光源を使用し、この光源から載置面７０に対して撮影範囲の形状で光を面照射することにより、撮影範囲として、上述した走査範囲Ａｓｃを載置面７０に直接表示してもよく、また、レーザーと回折格子とを用いて構成されるレーザープロジェクションを用いて、走査範囲Ａｓｃの外枠の形状を載置面７０に照射してもよい。また、撮影範囲表示部の他の例としては、ラインセンサ２０以外に、撮影範囲を撮影可能なエリアセンサを設け、エリアセンサで撮影した画像情報をＰＣに伝達してＰＣが有する表示部に、エリアセンサで撮影した画像を、走査範囲Ａｓｃに重ね合わせて表示させることができるコンピュータプログラム、或いは電気回路を、制御部６０に搭載することによって実現してもよい。
【００８１】
このように、撮影範囲表示部を設けることにより、ラインセンサ２０で原稿７５の画像を読み取る場合において、原稿７５を載置面７０に載置する際に、画像を読み取りたい部分を、より確実に走査範囲Ａｓｃ内に位置させて画像を読み取ることができる。これにより、より確実に原稿７５における所望の範囲の画像を読み取ることができる。この結果、より確実に所望の画像を得ることができる。
【００８２】
また、このように撮影範囲表示部を設ける場合には、撮影範囲表示部は、人感センサ４０での検出結果に基づいて走査範囲Ａｓｃを表示するのが好ましい。即ち、撮影範囲表示部は、使用者の手等が近付いたことを人感センサ４０で検出した場合に、走査範囲Ａｓｃを表示するのが好ましい。このように、使用者の手等が近付いたことを人感センサ４０で検出した場合に撮影範囲表示部で走査範囲Ａｓｃを表示することにより、走査範囲Ａｓｃを表示させる操作を行うことなく、使用者がオーバーヘッド型画像読取装置１に近付いた時点で走査範囲Ａｓｃを表示することができる。これにより、原稿７５の画像を読み取る際に、画像を読み取りたい部分を走査範囲Ａｓｃ内に位置させ易くなるため、より容易に、原稿７５における所望の範囲の画像を読み取ることができる。この結果、より容易に所望の画像を得ることができる。
【００８３】
また、このように人感センサ４０での検出結果に基づいて走査範囲Ａｓｃを表示する場合は、画像の読み取りを行っていない通常時には、人感センサ４０を制御する部分のみ通電し、消費電力が最小で維持される、いわゆるスタンバイモードになるように制御するのが好ましい。この場合、スタンバイモードの状態で、人感センサ４０によって手や原稿７５が近付いたことを検知したら、スタンバイモードから復帰すると同時に、撮影範囲表示部で走査範囲Ａｓｃを表示し、原稿７５の画像を読み取りが終了して一定時間が経過したら、再度スタンバイモードに移行する。これにより、電源スイッチのＯＮ／ＯＦＦの切り替え操作をする必要がなくなるため、画像の読み取り時における操作を容易に行うことができ、操作性を損なうことなく、容易に消費電力の低減を図ることができる。
【００８４】
また、ベース１５には、原稿７５の画像の読み取り時には載置面７０に広げることができ、画像の読み取りを行わない場合には折りたたんで当該ベース１５に格納できるシート（図示省略）を設けてもよい。このようなシートを設け、シートの色を例えば黒色にするなど、原稿７５の色とは大きく異なる色にすることにより、画像を読み取った後、クロッピングを行う際に、クロッピングを行い易くすることができる。この結果、載置面７０の色に関わらず、読み取った原稿７５の画像の処理を行い易くすることができる。
【００８５】
また、実施形態に係るオーバーヘッド型画像読取装置１では、ライン光源部２５は、白色ＬＥＤ２６で発光した光をコリメータレンズ２８で平行光にし、この平行光を拡散板２９でライン化しているが、光をライン状に照射する光源は、これ以外の構成によって設けられていてもよく、これ以外の手法によって光をライン化してもよい。光源は、例えば、回折格子やシリンドリカルレンズを用いて光をライン状に照射するものでもよい。光源は、照射平面Ｐｌｔをラインセンサ２０の走査平面Ｐｓｃと同じ位置に設けられていれば、その形態は問わない。
【００８６】
また、実施形態に係るオーバーヘッド型画像読取装置１では、スキャンスイッチ４５を設け、原稿７５の画像の読み取りを開始する場合には、スキャンスイッチ４５に対して入力操作を行うことにより画像の読み取りを開始しているが、画像の読み取り開始の指示は、手で操作をするスキャンスイッチ４５以外によって行ってもよい。例えば、画像の読み取り開始指示の入力操作を足で行うフットスイッチを設け、このフットスイッチへの入力操作によって画像の読み取りを開始してもよく、また、制御部６０に接続されるＰＣへの入力操作によって画像の読み取りを開始してもよい。または、人感センサ４０で使用者の手等を検知した後、一定期間反応が無くなったら、原稿７５のセットが完了したと判断して画像の読み取りを開始する等、所定の条件を満たした場合に、画像の読み取りを開始してもよい。
【００８７】
また、実施形態に係るオーバーヘッド型画像読取装置１は、ベース１５を載置面７０に載置することによりアーム１０を載置面７０に固定しているが、アーム１０は、ベース１５を載置面７０に載置すること以外によって載置面７０に固定してもよい。例えば、机等を端部から挟み込む手段を設け、この部分にアーム１０を接続することによりアーム１０を載置面７０に固定してもよく、また、オーバーヘッド型画像読取装置１に原稿７５を載置する載置面７０を設け、この載置面７０にアーム１０を固定してもよい。アーム１０は、ラインセンサ２０と載置面７０との距離を一定にすることできるように設けられていればよく、載置面７０の形態や、アーム１０を載置面７０に固定する形態は問わない。
【産業上の利用可能性】
【００８８】
以上のように、本発明に係る画像読取ユニット及びオーバーヘッド型画像読取装置は、画像読取部を原稿から離間させて原稿の画像を読み取る画像読取装置に有用であり、特に、画像読取部としてラインセンサを用いる場合に適している。
【符号の説明】
【００８９】
１  オーバーヘッド型画像読取装置
５  回転ヘッド部
６  回転ヘッド
７  ヘッド支持部
１０  アーム
１５  ベース
２０  ラインセンサ
２５  ライン光源部
２６  白色ＬＥＤ
２８  コリメータレンズ
２９  拡散板
３５  レンズ
３８  フォーカス機構
４０  人感センサ
５０  モータ
６０  制御部
７０  載置面
７５  原稿
【図１】
0005576713.tif 000002
【図２】
0005576713.tif 000003
【図３】
0005576713.tif 000004
【図４】
0005576713.tif 000005
【図５】
0005576713.tif 000006
【図６】
0005576713.tif 000007
【図７】
0005576713.tif 000008